(57)【特許請求の範囲】
【請求項１】
照明灯付勢信号が指示する値の電流を照明灯に通電する駆動回路、警報手段、および、点灯設定情報と付勢信号生成機能とに基づき照明灯付勢信号を生成して前記駆動回路に与え、該照明灯付勢信号の生成過程で劣化判定機能によって照明劣化かを判定し、照明劣化と判定すると前記警報手段によって警報を発生する点灯指示手段を備えた上、トンネル入口設置用のものとし、前記点灯設定情報と付勢信号生成機能とに基づき、定電流の１００％を出力する試験（ＴＥＳＴ）モード、定電流の出力を０％とする（消灯）停止モード、および、定電流の１００％を出力する試験（ＴＥＳＴ）モードと、定電流の出力を０％とする（消灯）停止モードとの間となる定電流の１００％未満ないし定電流の０％を超える範囲から選択的に出力する複数モードの、それら複数種の調光モードを切り換え実行可能なものとし、それら複数種の調光モードの中、何れか一つの調光モードに適宜切り換え、切り換えた調光モードに従い照明灯付勢信号を生成し、前記駆動回路に与えるものとしたことを特徴とする照明制御装置。
【請求項２】
前記調光モードの切り換えが、点灯設定情報と付勢信号生成機能とに基づき、少なくとも、定電流の１００％未満ないし０％を超える範囲から選択的に出力する複数のモード、および、定電流の出力を０％とする（消灯）停止モードの２種の調光モードを切り換え実行可能なものとし、それら少なくとも２種の調光モードの中、何れか一方の調光モードに適宜切り換え、切り換えた調光モードに従い照明灯付勢信号を生成し、前記駆動回路に与えるようにしてなるものとした、請求項１記載の照明制御装置。
ことを特徴とする照明制御装置。
【請求項３】
照明制御装置は、さらに、前記照明灯の発光照度を検出する光センサを備え、前記付勢信号生成機能は前記光センサが検出する発光照度を設定値に合わせるように前記照明灯付勢信号を補正し、前記劣化判定機能は補正後の照明灯付勢信号が駆動上限値以上になるときは前記照明灯付勢信号を駆動上限値以下に変更し前記警報手段によって警報を発生するようにしてなるものとした、請求項１または２何れか一記載の照明制御装置。
【請求項４】
前記付勢信号生成機能は、点灯時間を積算し、その積算時間に対応するセンサ劣化補正値をメモリから読み出して更新し、読み出したセンサ劣化補正値を用いて前記光センサが検出した発光照度を補正して前記照明灯付勢信号の補正に用い、前記劣化判定機能は、前記積算時間が積算上限値以上になるときに、前記センサ劣化補正値の更新を止めて前記警報手段によって警報を発生するようにしてなるものとした、請求項３記載の照明制御装置。
【請求項５】
前記付勢信号生成機能は、点灯時間を積算し、その積算時間に対応する照明灯付勢情報をメモリから読み出し、前記照明灯付勢信号を該照明灯付勢情報対応値に更新して前記駆動回路に与え、前記劣化判定機能は、前記積算時間が積算上限値以上になるとき前記照明灯付勢信号の更新を止めて前記警報手段によって警報を発生するようにしてなるものとした、請求項１または２何れか一記載の照明制御装置。
【請求項６】
照明制御装置は、さらに、前記照明灯の発光照度を検出する光センサを備え、前記付勢信号生成機能は前記光センサが検出する発光照度を設定値に合わせるように前記照明灯付勢信号を補正し、前記劣化判定機能は、前記光センサの発光照度検出の異常を判定すると前記警報手段によって警報を発生し、前記付勢信号生成機能は、該異常が判定されると点灯積算時間に対応する照明灯付勢情報をメモリから読み出し、前記照明灯付勢信号を該照明灯付勢情報対応値に更新して前記駆動回路に与えるようにしてなるものとした、請求項１または２何れか一記載の照明制御装置。
【請求項７】
前記付勢信号生成機能は、前記照明灯の発光照度を検出する光センサがあって有効であると、前記光センサが検出する発光照度を設定値に合わせるように前記照明灯付勢信号を補正し、前記劣化判定機能は補正後の照明灯付勢信号が駆動上限値以上になるときは、前記照明灯付勢信号を駆動上限値以下に変更し、前記警報手段によって警報を発生し、前記付勢信号生成機能は、前記光センサが無いか、または無効であると、点灯時間を積算し、その積算時間に対応する照明灯付勢情報をメモリから読み出して前記照明灯付勢信号を該照明灯付勢情報対応値に更新して前記駆動回路に与え、前記劣化判定機能は、前記積算時間が積算上限値以上になるときに、前記照明灯付勢信号の更新を止めて前記警報手段によって警報を発生するようにしてなるものとした、請求項１または２何れか一記載の照明制御装置。
【請求項８】
前記付勢信号生成機能は、前記照明灯の発光照度を検出する光センサがあって有効であると、点灯時間を積算し、その積算時間に対応するセンサ劣化補正値をメモリから読み出して更新し、読み出したセンサ劣化補正値を用いて前記光センサが検出した発光照度を補正し、前記照明灯付勢信号の補正に用い、前記劣化判定機能は、前記積算時間が積算上限値以上になるときに、前記センサ劣化補正値の更新を止めて前記警報手段によって警報を発生するようにしてなるものとした、請求項７記載の照明制御装置。
【請求項９】
前記付勢信号生成機能は、前記駆動回路に与える前記照明灯付勢信号を更新するとき、更新直前の照明灯付勢信号から更新後の照明灯付勢信号まで、前記照明灯付勢信号を設定速度で変更するようにしてなるものとした、請求項１ないし８の何れか一記載の照明制御装置。
【請求項１０】
照明制御装置は、さらに、前記点灯設定情報を表示するディスプレイを備えるようにしてなるものとした、請求項１ないし８の何れか一記載の照明制御装置。
【請求項１１】
照明制御装置は、さらにまた、外部コンピュータとデータを送、受信する無線通信機を備えるようにしてなるものとした、請求項１ないし８の何れか一記載の照明制御装置。      
【発明の詳細な説明】
【技術分野】
【０００１】
この発明は、照明灯の点灯装置に関し、特に、これに限る意図ではないがＬＥＤ照明灯の安定した点灯付勢を行う照明制御装置に関連するものであり、道路照明、外灯、防犯照明、トンネル内照明などを行うＬＥＤランプの照明制御装置を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                  
【背景技術】
【０００２】
（着目点）
トンネル内照明は、ナトリウムランプ、水銀灯、メタルハライドランプまたはＨＩＤランプなどの従来型のランプに代わり、ＬＥＤ照明が広く利用されるようになっているが、長寿命、低消費電力という利点をもつＬＥＤ照明にも、様々な要因によって発光照度に変動を生じてしまうという欠点があり、その変動要因の代表的なものとしては、付勢電流値の変化、温度変化、経時劣化およびその他の原因をあげることができ、例えばＬＥＤランプでは、ＬＥＤ抵抗値が温度変化によって変化し、これによってＬＥＤ電流値が変化して発光照度が変化してしまうものであった。
【０００３】
（従来の技術）
こうした状況を反映し、その打開策となるような提案もこれまでに散見されない訳ではない。
例えば、下記の特許文献１（１）に提案されているものに代表されるように、ＬＥＤ電流を検出して、それが基準電流値に合致するようにＬＥＤ付勢電流を調整するフィードバック制御技術や、次の特許文献１（２）に見られるような、ＬＥＤの発光照度を光センサで検出して基準値と比較し、発光照度が基準値になるようにＬＥＤ付勢電流を調整するフィードバック制御技術、また、同特許文献１（３）に示されているもののように、経時劣化による照明光量の低下を補償するために、点灯積算時間対応の補正値をメモリから読み出して補正値分ＬＥＤ付勢電流を変更する技術などが散見される。
【０００４】
しかし、従前までに提案のある各種ＬＥＤランプなどの制御技術は、何れも付勢電流値の変化、光センサを利用したフィードバック制御、点灯積算時間に応じた補正値に基づきＬＥＤ付勢電流を制御するものなど、様々な制御技術が既に開発済みとなっているが、照明灯の用途によっては信頼性の高いメンテナンスが必要となるものであり、特許文献１（４）に提案されているもののように、ＬＥＤ照明の机上面の反射光を検出し、反射光照度が閾値以下になると異常が発生したとみなす故障検出が提示されているが、例えば、道路や歩道、防犯照明、特に、トンネルなどに装備したＬＥＤランプは、安全性の観点からＬＥＤランプ自身の故障を待って取り替えるのではなく、故障する前に取り替えるのが望ましいと言える。                                                                        
【特許文献１】（１）特開平２００６−２２２３７６    （２）特開平２００７−８６５４０    （３）特許４６４５２９５    （４）特開２０１２−１１３９０９
【発明の概要】
【発明が解決しようとする課題】
【０００５】
（発明の目的）
そこで、この発明は、照明灯の安定した点灯を維持し、照明灯自身が故障によって消灯してしまう前段階までに、「寿命切れ」、「取替え要」および「点検要」などの少なくとも何れかの警報を発して、より確実なメンテナンスを実現化し、安全性、経済性に秀れた新たな照明制御技術の開発はできないものかとの判断から、逸速くその開発、研究に着手し、長期に渡る試行錯誤と幾多の試作、実験とを繰り返してきた結果、今回、遂に新規な構造の照明制御装置を実現化することに成功したものであり、以下では、図面に示すこの発明を代表する実施例と共に、その構成を詳述することとする。                                  
【課題を解決するための手段】
【０００６】
（発明の構成）
図面に示すこの発明を代表する実施例からも明確に理解されるように、この発明の照明制御装置は、基本的に次のような構成から成り立っている。即ち、
照明灯付勢信号が指示する値の電流を照明灯（６１）に通電する駆動回路（５８）、警報手段（７８，７７）、および、点灯設定情報と付勢信号生成機能に基づき照明灯付勢信号を生成して前記駆動回路（５８）に与え、該照明灯付勢信号の生成過程で劣化判定機能により照明劣化かを判定し、照明劣化と判定すると前記警報手段（７８，７７）によって警報を発生する点灯指示手段（６６，７４，７５）を備えた上、トンネル入口設置用のものとし、前記点灯設定情報と付勢信号生成機能とに基づき、定電流の１００％を出力する試験（ＴＥＳＴ）モード、定電流の出力を０％とする（消灯）停止モード、および、定電流の１００％を出力する試験（ＴＥＳＴ）モードと、定電流の出力を０％とする（消灯）停止モードとの間となる定電流の１００％未満ないし定電流の０％を超える範囲から選択的に出力する複数モードの、それら複数種の調光モードを切り換え実行可能なものとし、それら複数種の調光モードの中、何れか一つの調光モードに適宜切り換え、切り換えた調光モードに従い照明灯付勢信号を生成し、前記駆動回路に与えるものとした構成を要旨とする照明制御装置である。
なお、構成の理解を容易にするため、括弧内には、図面に付して表示している後述する実施例の対応要素または相当要素の符号を、単に例示として参考までに付記したものであり、それらによってこの発明の構成内容に制限を受けるものでないことは言うまでものない。以下においても同様とする。                                                      
【発明の効果】
【０００７】
以上のとおり、この発明の照明制御装置によれば、従前までのものとは違い、上記したとおりの固有の特徴ある構成から、照明灯を継続的に制御、利用しながら、劣化の程度を自動的に判断し、同照明灯の劣化や故障に起因する照度の変化を抑制可能とし、耐久寿命を延命化し、交換時期を迎えるまで略一定の輝度を保つよう制御可能とし、同照明灯の使用環境下における温度変化や、経時劣化およびその他の様々な要因によって使用開始から充分な期間利用し、耐久寿命を全うし終える直前の段階に自動的に警報を発するものとなるから、特に、道路照明、外灯、防犯照明、トンネル内照明などを行う照明灯の信頼性を高め、経済的且つ効率的に維持管理可能なものとすることができるという、秀でた特徴が得られるものである。
【０００８】
より具体的には、この発明の照明制御装置によれば、照明灯付勢信号の生成過程で劣化判定機能により照明劣化かを判定するので、該劣化判定機能により、照明灯（６１）が故障してしまうまでに照明劣化と判定して警報を発生することができ、照明管理人は、この警報に基づき、照明灯が実際に故障するまでに照明灯を取り替えることができるので、照明灯の安全と信頼性とをより高めたメンテナンスが実現化できる。
【０００９】
加えて、照明灯の発光照度を検出する光センサを備え、前記付勢信号生成機能は、前記光センサが検出する発光照度を設定値に合わせるように前記照明灯付勢信号を補正し、前記劣化判定機能は、補正後の照明灯付勢信号が駆動上限値以上になるときは、前記照明灯付勢信号を駆動上限値以下に変更し前記警報手段によって警報を発生するものとしてなる、この発明の照明制御装置は、照明灯の実際の発光照度を光センサによって検知し、その検出値に基づき、フィードバック制御するから、設定したとおりの発光照度が得られるよう、より正確に照明灯付勢信号に補正を加えることができ、一段と信頼性を高めたものとすることができ、さらに、補正後の照明灯付勢信号が駆動上限値以上に達するときには、自動的に警報を発して照明灯の交換時期を知らせるから、故障する前段階の中に、安全に新しい照明灯に交換することができるものとなる。
【００１０】
また、付勢信号生成機能は、点灯時間を積算し、その積算時間に対応するセンサ劣化補正値をメモリから読み出して更新し、読み出したセンサ劣化補正値を用いて前記光センサが検出した発光照度を補正して前記照明灯付勢信号の補正に用いるものとし、前記劣化判定機能は、前記積算時間が積算上限値以上になるときに、前記センサ劣化補正値の更新を止めて前記警報手段によって警報を発生するものとしてなる、この発明の照明制御装置は、点灯時間を加味したセンサ劣化補正値を採用するから、より正確な発光照度の補正を実現化することができる上、積算時間が積算上限値以上になるときには自動的に警報を発し、照明灯の交換時期を知らせるから、故障する前段階の中に、安全に新しい照明灯に交換することができるものとなる。
【００１１】
付勢信号生成機能は、点灯時間を積算し、その積算時間に対応する照明灯付勢情報をメモリから読み出して前記照明灯付勢信号を該照明灯付勢情報対応値に更新して前記駆動回路に与え、前記劣化判定機能は、前記積算時間が積算上限値以上になるときに、前記照明灯付勢信号の更新を止めて前記警報手段によって警報を発生するものとしてなる、この発明の照明制御装置は、点灯時間を加味した照明灯付勢情報を採用するから、より正確な発光照度の補正を実現化することができる上、積算時間が積算上限値以上になるときに自動的に警報を発し、照明灯の交換時期を知らせるから、故障する前段階の中に、安全に新しい照明灯に交換することができるものとなる。
【００１２】
さらに、照明灯の発光照度を検出する光センサを備え、前記付勢信号生成機能は、前記光センサが検出する発光照度を設定値に合わせるように前記照明灯付勢信号を補正し、前記劣化判定機能は、前記光センサの発光照度検出の異常を判定すると前記警報手段によって警報を発生し、前記付勢信号生成機能は、該異常が判定されると点灯積算時間に対応する照明灯付勢情報をメモリから読み出して前記照明灯付勢信号を該照明灯付勢情報対応値に更新して前記駆動回路に与えるものとしてなる、この発明の照明制御装置は、光センサの発光照度検出の異常を検知したときに自動的に警報を発し、照明灯の交換時期を知らせるものとなることから、故障する前段階の中に、安全且つ効率的にメンテナンスすることができる。
【００１３】
付勢信号生成機能が、前記照明灯の発光照度を検出する光センサがあって有効であると、前記光センサが検出する発光照度を設定値に合わせるように前記照明灯付勢信号を補正し、前記劣化判定機能は、補正後の照明灯付勢信号が駆動上限値以上になるときは、前記照明灯付勢信号を駆動上限値以下に変更して前記警報手段によって警報を発生し、前記付勢信号生成機能が、前記光センサが無いまたは無効であると、点灯時間を積算し、その積算時間に対応する照明灯付勢情報をメモリから読み出して前記照明灯付勢信号を該照明灯付勢情報対応値に更新して前記駆動回路に与え、前記劣化判定機能は、前記積算時間が積算上限値以上になると、前記照明灯付勢信号の更新を止めて前記警報手段によって警報を発生するものとなるようにしてなる、この発明の照明制御装置は、前記照明灯の発光照度を検出する光センサの有無や有効、無効に拘わらず、各条件下において、より安全を確保可能且つ効率的な制御、および照明灯の交換時期を警報することができることとなる。
【００１４】
付勢信号生成機能が、前記照明灯の発光照度を検出する光センサがあって有効であると、点灯時間を積算し、その積算時間に対応するセンサ劣化補正値をメモリから読み出して更新し、読み出したセンサ劣化補正値を用いて前記光センサが検出した発光照度を補正して前記照明灯付勢信号の補正に用い、前記劣化判定機能は、前記積算時間が積算上限値以上になるときに、前記センサ劣化補正値の更新を止めて前記警報手段によって警報を発生するようにしてなる、この発明の照明制御装置は、照明灯の発光照度を検出する光センサの劣化度合いに応じて照明灯付勢信号をより正確に補正可能なものとし、該光センサが耐用時間を超えたときには、光センサを利用した照明灯付勢信号の補正を自動的に停止してしまい、照明灯付勢信号の補正に誤りが生じるのを未然に防止し、より安全性に秀でた照明を実現化できる。
【００１５】
付勢信号生成機能が、前記駆動回路に与える前記照明灯付勢信号を更新するとき、更新直前の照明灯付勢信号から更新後の照明灯付勢信号まで、前記照明灯付勢信号を設定速度で変更するものとしてなる、この発明の照明制御装置は、使用する複数種の照明灯の各耐久寿命に応じた設定速度に基づき、より正確な制御を実現化することができるものとなる。
【００１６】
そして、点灯設定情報を表示するディスプレイを備えるものとした、この発明の照明制御装置は、ディスプレイを介して点灯設定情報を視覚的に明確に把握することができ、各種設定入力や設定状態の確認および再設定をより正確に行えるものとし、設定ミスをより確実に防ぎ、格段に安全性を高めたものとすることができ、さらにワイヤレスディスプレイを有するものは、遠隔的に同様の利用が可能となり、走行車両内などからも自在に、点灯設定情報を入力および確認することができる。
【００１７】
外部コンピュータとデータを送、受信する無線通信機を備えるものとした、この発明の照明制御装置は、通信用の配線およびそのメンテナンスを一切不要とし、大幅な経費節減を達成すると共に、メンテナンス作業性を高め、特に高速道路やトンネルなどの照明灯を制御する場合には、走行中の車内などに搭載した外部コンピュータから、簡単且つ迅速にデータを送、受信することができ、メンテナンスコストを大幅削減できて好都合のものとなる。                                                                                          
【発明を実施するための最良の形態】
【００１８】
上記したとおりの構成からなるこの発明の実施に際し、その最良もしくは望ましい形態について説明を加えることにする。
照明灯は、対象範囲を照明可能とする機能を担っており、例えば、道路照明、外灯、防犯照明、トンネル内照明などに用いるものとすることができ、より具体的には、ＬＥＤ（Ｌｉｇｈｔ  Ｅｍｉｔｔｉｎｇ  Ｄｉｏｄｅ）ランプなどのであり、砲弾型、表面実装型（ＳＭＤ：Ｓｕｒｆａｃｅ  Ｍｏｕｎｔ  Ｄｅｖｉｃｅ）、チップオンボード（Ｃｈｉｐ  Ｏｎ  Ｂｏａｒｄ）など、今後開発されるものを含め、様々なタイプのＬＥＤを設けたものとすることが可能である外、ＬＥＤ以外の照明機器に置き換えることができる。
【００１９】
駆動回路は、照明灯付勢信号が指示する値の電流を照明灯に通電する機能を担い、照明灯の点灯に必要且つ安全な値に制御した電流を供給可能とし、照明灯付勢信号に基づく値の電流を正確に出力可能なものとしなければならず、外部からの電力供給を受け、出力電流を制御するものとしたり、バッテリーなどを有し、その、出力電流を制御するものとしたり、または、外部からの電力供給を受け、且つ、バッテリーなどを有し、各種条件に応じて各電力を使い分けるものとしたりすることができる。
【００２０】
点灯設定情報は、組み込む照明灯の型式や機種ごとなどに設定を要する定数や、照明灯の点灯条件を設置場所や時間などの各種条件に応じて設定可能とする情報であって、遠隔的または直接的、有線通信または無線通信などによって入力設定可能なものとすることができ、より具体的には、調光入力情報、段階的および無段階的の少なくとも何れか一方の出力制御値、照度の入力閾値、出力制御の制御係数など、より正確な照明制御に必要となる各種設定情報とすることができ、より具体的には、例えば、照明灯のランプ構成、仕様、特性、照度センサの感度変換係数、調光基準数値、劣化補正テーブルなどの機種設定データとすることができる。
【００２１】
付勢信号生成機能は、照明灯に通電する電流の駆動上限値以下の付勢信号を生成する機能を担うもので、各照明灯の劣化状態や、周辺環境などの各種条件に基づき、過不足のない付勢信号を生成可能なものとしなければならず、各種センサの検出値、演算値、メモリの記憶など、各種情報に基づき補正を加えた付勢信号を生成可能としたものとするのが望ましく、例えば、後述する実施例に示すように、光センサが検出する発光照度を設定値に合わせるように補正した照明灯付勢信号を生成したり、点灯時間を積算し、その積算時間に対応するセンサ劣化補正値（照度ゲイン）をメモリから読み出して更新し、読み出したセンサ劣化補正値を用いて前記光センサが検出した発光照度を補正し、これに基づき、補正した照明灯付勢信号を生成したりするものとすることができる。
【００２２】
照明灯付勢信号は、付勢信号生成機能が生成する信号であって、駆動回路が、この信号に基づく値の電流を照明灯に供給するものとなり、点灯設定情報を加味し、付勢信号生成機能が生成する信号とすべきであり、各種センサの検出値、演算値、メモリの記憶などといった各種情報に基づき、付勢信号生成機能が生成する信号となるようにすることが可能である。
【００２３】
劣化判定機能は、照明灯および当該照明制御装置の、照明制御に必要となる各部の少なくとも何れか１つの劣化状態を判定可能とし、照明灯機種毎の設定データなどのような点灯設定情報、および、各種センサの検出値、演算値、メモリの記憶などの各種情報に基づき、より正確に劣化判定可能なものとすべきであり、照明灯が劣化したと判定した場合に、点灯指示手段に信号出力可能とすることができ、後述する実施例にも示してあるように、光センサが検出する発光照度、照明灯点灯時間の積算値、予めメモリに記憶した積算時間に対応するセンサ劣化補正値（照度ゲイン）などに基づき、照明灯の劣化を判断可能とするものとするのが望ましいと言える。
【００２４】
点灯指示手段は、劣化判定機能が発した信号を受信し、警報手段の警報を発生可能とする機能を担っていて、劣化判定機能と警報手段とを繋ぐ電機回路、リレー回路などとすることができる外、後述する実施例に示すように、制御用ソフトウェアを搭載したマイコンなどとすることが可能である。
【００２５】
警報手段は、点灯指示手段からの信号を受けた場合や、所定の条件下となった場合に警報を発生する機能を担い、照明灯の管理者などに明確に対象の照明灯の交換を報知可能とするものとしなければならず、警報用ランプなどの発光、スピーカーなどの音声発生、各種ディスプレイ上の警報表示などすることが可能であり、ランプの点滅制御や、音声の出力制御、画面表示制御などを行う制御部やソフトウェアなどを伴うものとすることができる。
【００２６】
光センサは、照明灯の発光照度を検出し、その検出値を付勢信号生成機能に出力可能とする機能を担うものであって、換言すれば照度センサということができ、アナログ出力、デジタル出力の何れのものも選択可能であって、例えば、フォト・ＩＣ、フォト・トランジスタ、フォト・ダイオード、フォト・ダイオードに電流増幅回路を追加したものなどとすることができ、その他のセンサや、今後開発されるセンサ、または、各種受光回路、撮像素子、電子スチルカメラ、電子スチル・ビデオカメラなど同等の機能を達成可能な部品などに置き換えることが可能である。
【００２７】
センサ劣化補正値（照度ゲイン）は、照明灯付勢信号の補正値をより正確なものとするのに用い、光センサの劣化状態を加味した補正を可能とする情報であり、採用する光センサの機種毎、仕様毎の特性に基づき、予め実験および演算処理などの少なくとも何れかによって取得した経時的劣化に応じた補正値とするのが望ましく、複数設置した各照明灯の点灯積算時間に対応するセンサ劣化補正値を、１個のメモリに記憶し、または、遠隔地のデータベースに集約的に記憶し、有線または無線通信によって通信可能な情報とすることができる外、光センサの劣化状態を感知およびその検出値を出力可能な劣化センサ、または劣化検知回路などの出力値に置き換えることが可能である。
【００２８】
この発明の照明制御装置は、照明灯の発光照度を検出する光センサを備え、前記付勢信号生成機能は前記光センサが検出する発光照度を設定値に合わせるように前記照明灯付勢信号を補正し、前記劣化判定機能は補正後の照明灯付勢信号が駆動上限値以上になるときは、前記照明灯付勢信号を駆動上限値以下に変更し、前記警報手段によって警報を発生するものとした照明制御装置とすることができる。
【００２９】
また、この発明の照明制御装置は、前記付勢信号生成機能は点灯時間を積算し、その積算時間に対応するセンサ劣化補正値をメモリから読み出して更新し、読み出したセンサ劣化補正値を用いて前記光センサが検出した発光照度を補正して前記照明灯付勢信号の補正に用い、前記劣化判定機能は前記積算時間が積算上限値以上になるときには、前記センサ劣化補正値の更新を止めて前記警報手段によって警報を発生するものとした照明制御装置とすることができる。
【００３０】
前記付勢信号生成機能は、点灯時間を積算し（４７，４８）、積算時間に対応する照明灯付勢情報をメモリから読み出し、前記照明灯付勢信号を該照明灯付勢情報対応値に更新して前記駆動回路（５８）に与え（５４）、前記劣化判定機能は前記積算時間が積算上限値以上になるときに、前記照明灯付勢信号の更新を止めて前記警報手段（７８，７７）によって警報を発生する（４９〜５２）ようにしてなる照明制御装置とすることが可能である。
【００３１】
この発明の照明制御装置は、さらに、前記照明灯の発光照度を検出する光センサ（７２，７３）を備え、前記付勢信号生成機能は、前記光センサ（７２，７３）が検出する発光照度を設定値に合わせるように前記照明灯付勢信号を補正し（２７〜２９）、前記劣化判定機能は、前記光センサ（７２，７３）の発光照度検出の異常を判定すると、前記警報手段（７８，７７）によって警報を発生し（１４，２６，３５，３６）、前記付勢信号生成機能は、該異常か判定されると、点灯積算時間に対応する照明灯付勢情報をメモリから読み出し（５６）、前記照明灯付勢信号を該照明灯付勢情報対応値に更新して前記駆動回路（５８）に与える（４６）ものとしてなる照明制御装置照明制御装置（図３、図４）とすることができる。
【００３２】
付勢信号生成機能は、前記照明灯の発光照度を検出する光センサ（７２，７３）があって有効であると、前記光センサ（７２，７３）が検出する発光照度を設定値に合わせるように前記照明灯付勢信号を補正し（２７〜２９）、前記劣化判定機能は、補正後の照明灯付勢信号が駆動上限値以上になるときは、前記照明灯付勢信号を駆動上限値以下に変更し、前記警報手段（７８，７７）によって警報を発生する（３０−３２〜３４，図３）ものとしてなる照明制御装置（図３、図４）とすることが可能である。                  
【００３３】
前記付勢信号生成機能は、前記光センサ（７２，７３）が無いか、または無効であると、点灯時間を積算し（４７，４８）、その積算時間に対応する照明灯付勢情報をメモリから読み出し、前記照明灯付勢信号を該照明灯付勢情報対応値に更新して前記駆動回路（５８）に与え（５４）、前記劣化判定機能は前記積算時間が積算上限値以上になるときには、前記照明灯付勢信号の更新を止めて前記警報手段（７８，７７）によって警報を発生する（４９〜５２，図４）ものとしてなる照明制御装置（図２）とすることができる。                              
【００３４】
付勢信号生成機能は、前記照明灯の発光照度を検出する光センサ（７２，７３）があって有効であると、点灯時間を積算し（１９，２０）、その積算時間に対応するセンサ劣化補正値（照度ゲイン）をメモリから読み出して更新し、読み出したセンサ劣化補正値を用いて前記光センサが検出してなる発光照度を補正して前記照明灯付勢信号の補正に用い（２４〜２９）、前記劣化判定機能は前記積算時間が積算上限値以上になるときに、前記センサ劣化補正値の更新を止めて前記警報手段（７８，７７）によって警報を発生する（２１〜２３−２５）ようにしてなるものとした照明制御装置（図３）とすることができる。
【００３５】
付勢信号生成機能は、前記駆動回路（５８）に与える前記照明灯付勢信号を更新するとき、更新直前の照明灯付勢信号から更新後の照明灯付勢信号まで、前記照明灯付勢信号を設定速度で変更する（１８，４６）ものとした照明制御装置（図３、図４）とすることが可能である。
【００３６】
この発明の照明制御装置は、さらに、前記点灯設定情報を表示する（３）ディスプレイ（７６）を備えてなるものとした照明制御装置（図１、図２）とすることができ、このディスプレイ（７６）は、有線接続か、またはワイヤレス接続可能なものとすることができる。
【００３７】
照明制御装置は、さらにまた、外部コンピュータ（８５）とデータを送、受信する無線通信機（７０）を備えてなるものとした図１に取り上げてある照明制御装置とすることもできる。
この発明の他の目的および特徴は、図面を参照した以下の実施例の具体的な説明よって、より一層明らかになるようにする。
以下では、図面に示すこの発明を代表する実施例と共に、その構造について詳述することとする。                                                                                                              
【図面の簡単な説明】
【００３８】
図面は、この発明の照明制御装置の技術的思想を具現化した代表的な幾つかの実施例を示すものである。
【図１】この発明の１実施例のハードウエア構成を示すブロック図である。
【図２】図１に示すマイコン６６が点灯制御プログラムに基づいて実行する照明制御の主要機能の概要を示すフローチャートである。
【図３】図２に示す「フィードバック補正」５の内容を示すフローチャートである。
【図４】図２に示す「経時補正」６の内容を示すフローチャートである。
【実施例１】
【００３９】
図１に、この発明を、一態様で実施するトンネル内ＬＥＤ照明制御装置のハードウエア概要を示している。
この制御装置は、車輌用トンネルに装備するＬＥＤランプの３個６１，６２，６３を同時に同一条件で点灯制御するもので、これらのＬＥＤランプ６１，６２，６３には、ＤＣ／ＤＣ降圧コンバータ６４が直流電力を給電する。
ＤＣ／ＤＣ降圧コンバータ６４には、ＡＣ／ＤＣコンバータ６５が、商用交流ＡＣを整流し、平滑化して定電圧化した直流電力を供給する。このＤＣ／ＤＣ降圧コンバータ６４は、制御用元電圧（定電圧）を発生して制御系電源回路８４に給電する。
【００４０】
制御系電源回路８４は、制御用定電圧５Ｖを発生してマイコン６６およびそれに接続された周辺回路に印加する。
即ち、マイコン６６ならびに無線通信機７０およびその他のマイコン周辺回路には、ＤＣ／ＤＣ降圧コンバータ６４が調光モード対応のＬＥＤ駆動電圧とは別に並行して発生するＤＣ電圧を制御系電源回路８４で定電圧に安定化した制御系ＤＣ電圧が印加される>
つまり、マイコン６６，無線通信機７０およびその他のマイコン周辺回路に給電する専用電源を持たず、ＬＥＤ点灯回路であるＤＣ／ＤＣ降圧コンバータ６４からＤＣ電圧をもらって動作するようにする。
【００４１】
該ＤＣ／ＤＣ降圧コンバータ６４は、ＡＣ／ＤＣコンバータ６５の出力である安定した電流出力の、１００％，８５％，５０％，２５％および０％の各電流出力を、マイコン６６の出力電流指示信号Ｖｒｅｆに応じて選択的に発生してＬＥＤランプ６１，６２，６３に印加する。この実施例では、調光入力回路６８内の複数の指示スイッチの開閉の組み合わせにより、ＬＥＤランプ６１〜６３の調光モードが表される。調光モードには、ＤＣ／ＤＣ降圧コンバータ６４に、１００％の電流出力を指示する試験（ＴＥＳＴ）モード、８５％の電流出力を指示する定常モード、５０％の電流出力を指示する１／２調光モード、２５％の電流出力を指示する１／４モード、および、０％の電流出力（消灯）を指示する停止モードがある。即ち、ＬＥＤランプを点灯する調光モードは、試験モード、定常モード、１／２調光モード、１／４調光モードの４種、および停止モードである。                  
【００４２】
マイコン６６は、調光入力回路６８が指定している調光モードを２桁のキャラクタディスプレイ７６で表示する。
停止モード（０％）があるので、ＡＣ／ＤＣコンバータ６５の入力ＡＣをスイッチオフ又はプラグ引抜きによって遮断しなくても、調光モードを停止モードに設定（指定）することによって、ＬＥＤランプ６１〜６３を消灯することができる。
【００４３】
ＡＣ／ＤＣコンバータ６５には、ＡＣ入力側に雷サージの侵入を抑止するサージ吸収回路があり、点灯電力ラインの雷サージ対策が施されているが、調光入力回路６８にも雷サージ対策が施されている。すなわち、調光入力回路６８内の複数の調光モード指示スイッチは、それぞれＡＣ２２０Ｖをオン／オフするスイッチであってそれぞれに、ノイズフィルタ・サージ保護回路を介して絶縁回路が接続されている。該絶縁回路には、調光モード指示スイッチに接続されたフォトカプラがある。フォトカプラのスイッチオン／オフ対応の光信号が絶縁回路内でＤＣ低電圧Ｌ／Ｈ信号（調光モード指定データ）に変換されてマイコン６６に与えられる。
【００４４】
このマイコン６６は、それ自身への電源オンによって点灯制御を開始するときに、調光入力回路６８が指定している調光モードの点灯制御を実行するが、ＴＥＳＴ指示スイッチが操作されると点灯制御を試験モードのものに切り換える。ＭＯＤＥスイッチ８３が操作されるたびに指示モードを順番に低い％のものに切り換え、停止モードに切り換えた後には順番に高い％のものに切り換える。そして、切り換えた調光モードをディスプレイ７６に切り換え表示する。
【００４５】
ＬＥＤランプ６１〜６３は、夫々同一機能の定電流駆動回路５８〜６０を内蔵している。定電流駆動回路５８は、ＬＥＤアレイに直列に接続したトランジスタおよび電流検出抵抗を備え、さらに、該電流検出抵抗で検出したＬＥＤ電流を、マイコン６６が積分器７４および電圧／電流変換器７５を介して与える照明灯付勢信号（目標電流値のアナログ信号）と対比して、ＬＥＤ電流が目標電流値になるように上記トランジスタの通電を制御する比較器あるいは差動増幅器を含むフィードバック制御回路、即ち定電流制御回路を備えている。
【００４６】
マイコン６６は、ＬＥＤランプ５８〜６０を点灯するための目標電流値を生成し、これをＰＷＭパルスに変換して積分器７４に与える。この積分器７４は、ＰＷＭパルスのデューティ（目標電流値を表す）を電圧（目標電流値を表す電圧）に変換し、電圧／電流変換器７５が目標電流値、即ち照明灯付勢信号に変換して定電流駆動回路５８〜６０に出力する。このときマイコン６６は、ＰＷＭパルスのデューティを、直前の目標電流値を表すものから新たに生成した目標電流値を表すものまで、設定速度で順次に変更する。つまり緩やかに切り換えることとなる。
【００４７】
マイコン６６は、同一構成および同一機能の３個１グループのＬＥＤランプ６１〜６３に同時に同一の点灯指令（Ｖref，照明ＰＷＭパルス）を与えるが、これは、一個又は２個のＬＥＤランプが故障により消灯しても、２個又は１個のＬＥＤが点灯を継続し全不灯となるのを避けるためである。例えば、ＬＥＤランプ６１〜６３ではなく、それらのＬＥＤの全部を内臓する１つのＬＥＤランプを用いている場合には、該ランプが故障するとそこで照明が途絶えてしまうが、本実施例の複数ＬＥＤランプの、同時同一の点灯指令による点灯制御によれば、このような照明の途絶を生じない。
【００４８】
警報表示灯７７は、この実施例では赤色ＬＥＤであり、ＬＥＤドライバ７８がマイコン６６の警報報知指示に応じて点灯駆動する。正常表示灯７９は、青色ＬＥＤであり、ＬＥＤドライバ８０がマイコン６６の点灯指示に応じて点灯駆動する。
マイコン６６は、ディスプレイ７６、赤色ＬＥＤおよび青色ＬＥＤの消費電力を低減するための、設定デューティのＰＷＭパルスを発生してＰＷＭドライバ８１に与える。
ＰＷＭドライバ８１は、ＰＷＭパルスに同期した点灯駆動レベルの駆動パルスを発生してディスプレイ７６およびＬＥＤドライバ７８，８０に印加する。このＬＥＤドライバ７８，８０は、マイコン６６が点灯を指示していると、該駆動パルスでＬＥＤ７７，７９を点灯付勢する。
【００４９】
クロック発生器６９がクロックパルスを発生してマイコン６６に与え、マイコン６６は、該クロックパルスを分周して周期が長い内部クロックパルスを発生し、該内部クロックパルスをカウントして時間経過を計測する。外部コンピュータ８５と無線データ通信を行う無線通信機７０がマイコン６６に接続されている。外部コンピュータ８５から無線電波（または通信光）を受信すると、マイコン６６は外部コンピュータ８５とのデータ通信を開始し、外部コンピュータ８５の指示に応じて、マイコン６６および不揮発メモリ６７が保持する状態情報、制御データの送信、マイコン６６および不揮発メモリ６７の設定情報、制御プログラムの更新等を行う。
外部コンピュータ８５がリセット指示を発信すると、リセット回路７１がリセット信号をマイコン６６に与え、このリセット信号に応答してマイコン６６は、停止モードに進む。その後は、ＴＥＳＴ指示スイッチ８２あるいはＭＯＤＥ切り換えスイッチ８３の操作に応じて指定モードの点灯制御を開始する。
【００５０】
不揮発メモリ６７には、点灯制御にかかわる設定情報および状態情報を記憶する状態レジスタ（メモリ領域）、制御プログラム格納領域、点灯制御で参照する調光モード対応の初期照度値、時系列ゲインテーブル（照度ゲインデータ群）、時系列目標値テーブル（目標値データ群）などがある。状態レジスタには、指定があった調光モード、光センサ有効／無効（光センサ７２使用の可否）、基準電流値、経過時間計測値、積算時間演算値、表示灯７７，７９の点灯／消灯情報などが記憶される。これら記憶情報は、ＭＯＤＥスイッチの操作によって調光モードが停止モードに切換わったときに、マイコン６６が状態レジスタに書き込む、つまり更新されることとなる。
なお、マイコン６６は、自身に動作電圧が加わった制御動作開始時に調光入力回路６８が指示する調光モードに宛てられた点灯制御プログラムを不揮発メモリ６７から読み出してマイコン６６内部のプログラムメモリに書き込み、状態レジスタの光センサ有効／無効、基準電流値、経過時間計測値、積算時間演算値、表示灯７７，７９の点灯／消灯情報などを、マイコン６６内部の状態レジスタに書き込んで、読み込んだ点灯制御プログラムと読み込んだ状態情報に基づいて点灯制御を開始する。
【００５１】
ＭＯＤＥスイッチの操作によって調光モードが切り換えられたときにはマイコン６６は、状態レジスタの調光モードを切り換えられたものに更新して該調光モードの点灯制御プログラムを不揮発メモリ６７から読み出して自身のプログラムメモリに書き込んで該点灯制御プログラムに基づいて点灯制御を開始する。
調光モード対応の初期照度値は、光センサ７２が有効（マイコン６６に接続されており光検出が正常）な場合の初期照度目標値であり、指定調光モード（試験モード、定常モード、１／２調光モードおよび１／４調光モード）夫々に宛てられた４種がある。該指定調光モードの点灯制御を開始するとき、マイコン６６は、指定調光モード宛の初期照度目標値を目標値として、光センサ７２が検出するＬＥＤ発光照度が目標値になるように、定電流駆動回路５８〜６０に与える目標電流信号、即ち照明灯付勢信号を調整する。
【００５２】
時系列ゲインテーブルは、光センサ７２が有効の場合に参照されるものであり、指定調光モード（試験モード、定常モード、１／２調光モードおよび１／４調光モード）夫々に宛てられる４種がある。各テーブルのデータは、各調光モードの点灯制御を開始してから１，０００時間が経過するまで、光センサ７２の照度検出値の補正に用いる初回照度ゲインから、１，０００時間刻みで２００，０００時間まで切り換え使用する計２００個の積算時間宛ての照度ゲイン群である。
これらの照度ゲインは、センサ劣化補正値であって、ＬＥＤランプの点灯制御開始から２００，０００時間経過までの、光センサ７２および電流／電圧変換器７３の汚れや劣化によるＬＥＤ点灯照度検出の劣化を補償するものである。
【００５３】
時系列目標値テーブルは、光センサ７２が無効（光センサ７２がマイコン６６に非接続または接続があっても光検出が異常）な場合に使用するＬＥＤ目標電流値であり、指定調光モード（試験モード、定常モード、１／２調光モードおよび１／４調光モード）夫々に宛てられた４種がある。各テーブルのデータは、各調光モードの点灯制御を開始してから１，０００時間が経過するまでに光センサ７２の光検出値の補正に用いる初期目標電流値から、１，０００時間刻みで２００，０００時間まで切り換え使用する計２００個の積算時間宛ての目標電流値群である。
これらの目標電流値は照明ＰＷＭパルスに変換されさらに積分器７４および電圧電流変換器で照明灯付勢信号（目標電流信号）に変換されてＬＥＤランプの定電流駆動回路５８〜６０に印加される。
【００５４】
この実施例は、基本点灯制御である点灯制御Ｂと簡易点灯制御である点灯制御Ａとを、選択的に行うことができる。
点灯制御Ｂ、即ち基本点灯制御は、光センサ７２を用いてＬＥＤ発光照度を検出し、これが目標照度値になるようにＬＥＤ電流を調整する定照度制御（照度フィードバック制御）を行うものである。光センサ７２および検出照度処理回路７３の汚れおよび劣化による検出照度変動を補償するために、基本点灯制御では、時系列ゲインテーブルから積算時間宛ての照度ゲインを読み出して光センサ７２の検出照度を補正する。
点灯制御Ａ、即ち簡易点灯制御は、光センサを用いずに時系列目標値テーブルから積算時間宛ての目標電流値を読み出して、ＬＥＤ電流値が目標電流値になるようにＬＥＤ電流を調整する定電流制御を行うものである。この実施例のマイコン６６は、光センサ７２が有効（接続されており、且つ正常）であると、点灯制御Ｂ、即ち基本点灯制御を実行して、光センサが無効（非接続又は照度検出が異常）であると、点灯制御Ａ、即ち簡易点灯制御を実行する。
【００５５】
トンネル内照明に適用するこの実施例の照明制御装置は、トンネル入口を照明するＬＥＤランプに適用するものでは光センサは非接続（点灯制御Ａ）、トンネル内部を照明するＬＥＤランプに適用するものには光センサ７２が接続される（点灯制御Ｂ）。
つまり、トンネル入口を照明するＬＥＤランプは、点灯制御Ａ、即ち簡易点灯制御によって定電流制御され、トンネル内部を照明するＬＥＤランプは、点灯制御Ｂ、即ち基本点灯制御によって定照度制御（照度フィードバック制御）されることとなるのである。
【００５６】
しかし、点灯制御Ｂ（光センサ接続）では、光センサ７２による照度検出の異常を判別（モニタ）し、異常と判断すると、状態データ群の中の光センサ有効／無効データを有効を表すものから無効を表すものに書き換え、そこからは点灯制御Ａを実行する。つまりマイコン６６の点灯制御が、定照度制御（基本点灯制御）から定電流制御（簡易点灯制御）に切り換わることとなる。これにより、光センサエラーによるＬＥＤランプの発光異常が回避され、ＬＥＤランプの正常な点灯が継続する。
【００５７】
なお、ここでの定電流制御（点灯制御Ａ；簡易点灯制御）および定照度制御（点灯制御Ｂ；基本点灯制御）は、マイコン６６によるＬＥＤランプ６１〜６３に対する制御態様（外部制御）を表すものである。
ＬＥＤランプ６１〜６３内の定電流駆動回路５８〜６０は、ランプ内でＬＥＤ電流値をマイコン６６が与える点灯指令である目標電流値（照明灯付勢信号）に制御するものであって、マイコン６６が点灯制御ＢおよびＡのいずれを実行していても、定電流駆動回路５８〜６０は、ＬＥＤランプ内で常に定電流制御（内部制御）を行う。
【００５８】
図２に、マイコン６６の点灯制御の概要を示す。商用交流ＡＣがＡＣ／ＤＣコンバータ６５に印加されてＤＣ／ＤＣコンバータ６４および制御系電源回路８４を介してマイコン６６に動作電圧が加わると、マイコン６６は、起動してマイコンの入出力ポートを待機時（消灯時）の入出力に設定し（図２上のステップ１）、不揮発メモリ６７から状態レジスタの格納データ（状態データ群）を読み込み、調光入力回路６８が指定する調光モード（指定調光モード）を読み込んでディスプレイ７６に表示し（ステップ２，３）、該調光モード宛ての点灯制御プログラムを不揮発メモリ６７から読み出してマイコン６６内部のプログラムメモリに展開し、該点灯制御プログラムに基づいて点灯制御を開始する。
なお、以下の説明文には、図２〜３のフローチャートの該当箇所のステップＮｏ．を括弧付きで付記し、括弧内では「ステップ」という表記を省略してある。
マイコン６６は、状態データ群のなかの光センサ有効／無効データを参照して、「光センサ有効」であれば「フィードバック補正」（５）に、「光センサ無効」であれば「経時補正」（６）に進む。
【００５９】
図３に、「フィードバック補正」（５）の内容（概要）を示す。ここに進むとマイコン６６は、状態データ群のなかの初回／再開データを参照して（１０）、それが初回を表すと時系列ゲインテーブルの積算時間０に宛てられた初回照度ゲインを読み出して照度ゲインに設定する（１１）。そして指定調光モード対応の初期照度値（照度目標値）を状態レジスタから読み出し（１２）、これを初期電流値（電流目標値）に変換して、積分器７４にＰＷＭパルスの出力を開始し、そのデーティを設定速度で初期電流値に対応する値まで順次に高くする（１３）。
【００６０】
これにより、ＬＥＤランプ６１〜６３が発光を開始して照度が緩やかに上昇して初期電流値対応の照度で安定して点灯する。その後マイコン６６は、光センサ７２の検出照度に初回照度ゲインを乗じた照度データを設定周期で生成して１時間の間の照度データの平均値の９７％を目標照度値とし、これを目標電流値に変換する（１５）。ここで経過時間の計測を開始し（１６）、初回／再開データを初回情報に更新する（１７）。そして積分器７４に出力するＰＷＭパルスのデューティを設定速度で目標電流値対応値に変更する（１８）。そしてデューティが目標電流値対応値のＰＷＭパルス出力を継続し、ステップ１６で開始した経過時間計測が１，０００時間になるのを待つ（１９）こととなる。
【００６１】
なお、図示には省略してあるが、マイコン６６は、ステップ１８で照明ＰＷＭのパルスデューティを目標電流値対応値まで変更する処理を終えた後で、モニタ機能によって、積分器７４の出力電圧（目標電流指示信号：照明灯付勢信号）Ｆｍをデジタル変換して読込み、これが目標電流値対応値と大きく異なっていると、出力電圧指令Ｖrefを試験モード（１００％）出力を指示するものとしかつ照明ＰＷＭの出力パルスデューティを１００％出力相当値に変更して、すなわちフル点灯駆動にして、ＬＥＤ赤を点灯し状態レジスタに調光出力異常（マイコンの動作異常）を書き込む。このフル点灯駆動は、調光器が故障した場合に、照明の安全を図るものである。
【００６２】
経過時間計測が１，０００時間になるのを待っている間は、光センサ７２の検出照度に照度ゲインを乗算した照度データを設定周期で生成して１時間の間の照度データの平均値（平均照度）を算出し（２５）、これをＬＥＤランプの電流値（帰還電流値：フィードバック電流値）に変換してから（２７）、この帰還電流値を目標電流値にするための補正値を算出して（２８）、この補正値分の補正を目標電流値に加えた値に、目標電流値を変更し（３０）、ＬＥＤ青７９を点灯（正常報知）して（３１）、変更した目標電流値対応のデューティまで、積分器７４に出力するＰＷＭパルスのデューティを設定速度で変更する（１８）。
【００６３】
変更した目標電流値が上限値を超えるときには、目標電流値を上限値以下に設定し、ＬＥＤ赤７７を点灯（異常報知）し（３０−３２，３３）、状態レジスタにＬＥＤ駆動エラーデータを書込み（３４）、積分器７４に出力するＰＷＭパルスのデューティを設定速度で目標電流値対応値に変更する（１８）。
【００６４】
ステップ１６で開始した経過時間計測が１，０００時間以上になると経過時間計測値を０に初期化して新たに経過時間計測を開始し、積算時間を１，０００時間増やした値に更新し（１９，２０）、指定調光モード対応の時系列ゲインテーブルから積算時間対応の照度ゲインを読み出し（２４）、この値に、照度データ算出に用いる照度ゲインを更新して平均照度算出に用いる（２５）。
【００６５】
積算時間が、光センサ７２およびＬＥＤランプ６１，〜６３の想定寿命（管理限界）である２００，０００時間に達すると、マイコン６６は、ＬＥＤ赤７７を点灯（異常報知）し、状態レジスタにセンサエラーを書き込む（２１〜２３）。
なお、フィードバック補正（５）を実行している間マイコン６６は、光センサ７２によって検出して生成した照度データが異常であるかを検索し（１４，２６）、異常と判定するとＬＥＤ赤７７を点灯（異常報知）し、状態レジスタにセンサエラーを書込む（３５，３６）。そして、図４に示す点灯制御Ａである「経時補正」（６）に進んで、指定調光モード対応の時系列目標値テーブルから、積算時間宛ての目標電流値を読み出して（５６）、積分器７４に出力するＰＷＭパルスのデューティを設定速度で目標電流値対応値に変更し（４６）、以後は「経時補正」（６）を継続する。
【００６６】
なお、「フィードバック補正」（５）に進んだときに初回／再開データが「再開」を表すものであったときには、マイコン６６は、状態レジスタに保存している目標電流値対応デューティまで積分器７４に出力するＰＷＭパルスのデューティを設定速度で順次に変更し（１８）、状態レジスタに保存している経過時間からの経過時間計測を再開する。
【００６７】
図４に、「経時補正」（６）の内容（概要）を示す。ここに進むとマイコン６６は、状態データ群のなかの初回／再開データを参照して（４１）、それが初回を表すと指定調光モードに宛てられた時系列目標値テーブルの積算時間０（初回）宛ての目標電流値を読み出し（４２）、経過時間計測を開始し（４３）、初回／再開データを初回情報に更新し（４４）、ＬＥＤ青７９を点灯（正常を報知）し（４５）、積分器７４にＰＷＭパルスの出力を開始し、そのデューティを設定速度で目標電流値に対応する値まで順次に高くする（４６）。これにより、ＬＥＤランプ６１〜６３が発光を開始して照度が緩やかに上昇し、目標電流値対応の照度で安定して点灯する。その後、マイコン６６は、ステップ４３で開始した経過時間計測が１，０００時間になるのを待つ（４７）。そして、待っている間は、上記目標電流値に対応するデューティのＰＷＭパルスの出力を継続する（５５）。
【００６８】
なお、図示は省略したがマイコン６６は、ステップ５５で、モニタ機能によって、積分器７４の出力電圧（目標電流指示信号：照明灯付勢信号）Ｆｍをデジタル変換して読込み、これが目標電流値対応値と大きく異なっていると、出力電圧指令Ｖrefを試験モード（１００％）出力を指示するものとしかつ照明ＰＷＭの出力パルスデューティを１００％出力相当値に変更して、すなわちフル点灯駆動にして、ＬＥＤ赤を点灯し状態レジスタに調光出力異常（マイコンの動作異常）を書き込む。このフル点灯駆動は、調光器が故障した場合に、照明の安全を図るものである。
【００６９】
ステップ４３で開始した経過時間計測が１，０００時間以上になると、経過時間計測値を０に初期化して新たに経過時間計測を開始し、積算時間を１，０００時間増やした値に更新し（４７，４８）、指定調光モード対応の時系列目標値テーブルから積算時間対応の目標電流値を読み出して（５４）、この値に、ＬＥＤを点灯付勢する目標電流値を更新し、積分器７４に出力するＰＷＭパルスのデューティを設定速度で目標電流値に対応する値まで順次に変更する（４６）。
【００７０】
積算時間が、ＬＥＤランプ６１〜６３の想定寿命（管理限界）である２００，０００時間に達すると、マイコン６６は、ＬＥＤ青７９を消灯し（５０）、ＬＥＤ赤７７を点灯（異常報知）し（５１）、状態レジスタにＬＥＤ駆動エラーを書き込む（５２）。その後は、目標電流値を更新することなく、目標電流値に対応するデューティのＰＷＭパルスの出力を継続する（５３）。
【００７１】
なお、「経時補正」（６）に進んだときに初回／再開データが「初回情報」を表すものであったときには、マイコン６６は、経過時間の計測を、状態レジスタにある経過時間（前回の計測値）から開始し（５７）、指定調光モード宛ての時系列目標値テーブルから状態レジスタにある積算時間宛ての目標電流値を読み出して（５６）、積分器７４に出力するＰＷＭパルスのデューティを設定速度で目標電流値に対応する値まで順次に高くしていく（４６）。
【００７２】
（結  び）
叙述の如く、この発明の照明制御装置は、その新規な構成によって所期の目的を遍く達成可能とするものであり、しかも製造も容易で、従前からの照明灯用の制御装置技術に比較して格段に、安全性を高め、耐久寿命を延命化し、維持管理コストを大幅削減して遥かに経済的なものとすることができる上、メンテナンス作業性を大幅に改善し得るものとなることから、従前までは一定の耐久寿命を迎えるまでに充分に余裕をもった時期に、対象範囲に設置してある照明灯を一斉に交換するという保守管理が殆どであったが、個々の照明灯を、各々の耐久寿命を迎える直前まで安全、確実に使用することができる上、故障発生の直前段階に効率的にメンテナンスすることが可能となるから、より経済的で安全な照明技術が求められる照明灯機器製造業界はもとより、照明灯の管理を重視する道路管理業界および道路メンテナンス業界や、様々な場面で信頼性に秀れた照明灯を利用したいと希望する一般企業および一般家庭においても高く評価され、広範に渡って利用、普及していくものになると予想される。                                                                                            
【符号の説明】
【００７３】
５８，５９，６０      定電流駆動回路
６１，６２，６３      ＬＥＤランプ
６４      ＤＣ／ＤＣ降圧コンバータ
６５      ＡＣ／ＤＣコンバータ
６６      マイコン
６７      不揮発メモリ
６８      調光入力回路
６９      クロック発生器
７０      無線通信機
７１      リセット回路
７２      光センサ
７３      電流／電圧変換器
７４      積分器
７５      電圧／電流変換器
７６      ディスプレイ
７７      警報表示灯
７８      ＬＥＤドライバ
７９      正常表示灯
８０      ＬＥＤドライバ
８１      ＰＷＭドライバ
８２      ＴＥＳＴ（試験モード）指示スイッチ
８３      ＭＯＤＥ（モード）切換スイッチ
８４      制御系電源回路                                                                                              
【図１】
0006035265.tif 000002
【図２】
0006035265.tif 000003
【図３】
0006035265.tif 000004
【図４】
0006035265.tif 000005